(57)【要約】【課題】  ユーザに趣向性の高いサービスを提供する。【解決手段】  放送を受信した受信機３１のモニタ３２には、芸人Ａが出演する第１の番組の映像６１と芸人Ｂが出演した第２の番組の映像６２が表示され、番組開始直後の初期映像画面７１では、全体の放送映像に占める第１の番組の映像６１と第２の番組の映像６２との表示領域が同じである。第１の番組の映像６１上部には、第１の番組の投票先の第１メールアドレス６５が、第２の番組の映像６２上部には、第２の番組の投票先の第２メールアドレス６６が表示される。第１メールアドレス６５へ投票が多いと第１の番組の映像６１面積が大きくなり、第２の番組の映像６２面積が小さくなる。【選択図】        図４
2005333279.tif 000002
【特許請求の範囲】
【請求項１】
複数のユーザを対象とした番組の映像を放送する放送側装置と、該放送側装置で放送された番組を視聴したユーザが利用するユーザ側装置とがネットワークを介して通信可能に接続されてなる放送システムであって、
前記ユーザ側装置は、
前記番組の番組素材に対して投票する旨の投票データを前記放送側装置へ送信する投票送信手段を備え、
前記放送側装置は、
前記ユーザ側装置から所定の番組の番組素材に対して投票する旨の投票データを受信した際に、当該番組の得票数を増加する投票受信手段と、
前記得票数に基づいて、放送される番組における番組素材の影響度合いを変更する変更手段とを備えた
ことを特徴とする放送システム。
【請求項２】
複数のユーザを対象とした番組の映像を放送する放送側装置と、該放送側装置で放送された番組を視聴したユーザが利用するユーザ側装置とがネットワークを介して通信可能に接続されてなる放送システムであって、
前記ユーザ側装置は、
前記番組の番組素材に対して投票する旨の投票データを前記放送側装置へ送信する投票送信手段を備え、
前記放送側装置は、
前記ユーザ側装置から所定の番組の番組素材に対して投票する旨の投票データを受信した際に、当該番組の得票数を増加する投票受信手段と、
前記得票数に基づいて、放送される映像に占める番組素材の表示領域の大きさを変更する表示領域変更手段とを備えた
ことを特徴とする放送システム。
【請求項３】
複数のユーザを対象とした複数の番組素材を合成した番組として放送する放送側装置と、該放送側装置で放送された番組を視聴したユーザが利用するユーザ側装置とがネットワークを介して通信可能に接続されてなる放送システムであって、
前記ユーザ側装置は、
前記各番組素材から選択した番組素材に対して投票する旨の投票データを前記放送側装置へ送信する投票送信手段を備え、
前記放送側装置は、
前記ユーザ側装置から所定の番組素材に対して投票する旨の投票データを受信した際に、当該番組素材の得票数を増加する投票受信手段と、
前記各番組素材の得票数に基づいて、放送される映像に占める各番組素材の表示領域の大きさを変更する表示領域変更手段とを備えた
ことを特徴とする放送システム。
【請求項４】
前記放送側装置は、前記番組素材の映像面積を拡大又は縮小することによって前記表示領域の大きさを変更することを特徴とした請求項２又は３記載の放送システム。
【請求項５】
前記放送側装置は、前記番組素材の映像を前記放送映像内に表示される表示領域と前記放送映像内には表示されない非表示領域とに区画し、前記表示領域と前記非表示領域との割合を可変して前記表示領域の大きさを変更することを特徴とした請求項２又は３記載の放送システム。
【請求項６】
複数のユーザを対象とした複数の番組素材を合成した番組として放送する放送側装置と、該放送側装置で放送された番組を視聴したユーザが利用するユーザ側装置とがネットワークを介して通信可能に接続されてなる放送システムであって、
前記ユーザ側装置は、
前記各番組素材から選択した番組素材に対して投票する旨の投票データを前記放送側装置へ送信する投票送信手段を備え、
前記放送側装置は、
前記ユーザ側装置から所定の番組素材に対して投票する旨の投票データを受信した際に、当該番組素材の得票数を増加する投票受信手段と、
前記各番組素材の得票数に基づいて、各番組素材の音声の大きさを変更する音声変更手段とを備えた
ことを特徴とする放送システム。
【請求項７】
複数のユーザを対象とした番組の映像を放送するとともに、放送した番組を視聴したユーザが利用するユーザ側装置とネットワークを介して通信可能に接続される放送側装置であって、
前記ユーザ側装置から所定の番組の番組素材に対して投票する旨の投票データを受信した際に、当該番組の得票数を増加する投票受信手段と、
前記得票数に基づいて、放送される番組における番組素材の影響度合い変更する変更手段と、
を備えたことを特徴とする放送側装置。
【請求項８】
複数のユーザを対象とした番組の映像を放送するとともに、放送した番組を視聴したユーザが利用するユーザ側装置とネットワークを介して通信可能に接続される放送側装置であって、
前記ユーザ側装置から所定の番組の番組素材に対して投票する旨の投票データを受信した際に、当該番組の得票数を増加する投票受信手段と、
前記得票数に基づいて、放送される映像に占める番組素材の表示領域の大きさを変更する表示領域変更手段と、
を備えたことを特徴とする放送側装置。
【請求項９】
複数のユーザを対象とした複数の番組素材を合成した番組として放送するとともに、放送した番組を視聴したユーザが利用するユーザ側装置とネットワークを介して通信可能に接続される放送側装置であって、
前記ユーザ側装置から所定の番組素材に対して投票する旨の投票データを受信した際に、当該番組素材の得票数を増加する投票受信手段と、
前記各番組素材の得票数に基づいて、放送される映像に占める各番組素材の表示領域の大きさを変更する表示領域変更手段とを備えた
ことを特徴とする放送側装置。
【請求項１０】
前記番組素材の映像面積を拡大又は縮小することによって前記表示領域の大きさを変更することを特徴とした請求項８又は９記載の放送側装置。
【請求項１１】
前記番組素材の映像を前記放送映像内に表示される表示領域と前記放送映像内には表示されない非表示領域とに区画し、前記表示領域と前記非表示領域との割合を可変して前記表示領域の大きさを変更することを特徴とした請求項８又は９記載の放送側装置。
【請求項１２】
複数のユーザを対象とした複数の番組素材を合成した番組として放送するとともに、放送された番組を視聴したユーザが利用するユーザ側装置とネットワークを介して通信可能に接続される放送側装置であって、
前記ユーザ側装置から所定の番組素材に対して投票する旨の投票データを受信した際に、当該番組素材の得票数を増加する投票受信手段と、
前記各番組素材の得票数に基づいて、各番組素材の音声の大きさを変更する音声変更手段とを備えた
ことを特徴とする放送側装置。
【請求項１３】
複数のユーザを対象とした番組の映像を放送するとともに、放送した番組を視聴したユーザが利用するユーザ側装置とネットワークを介して通信可能に接続される放送側装置を用いる放送方法であって、
前記ユーザ側装置から所定の番組の番組素材に対して投票する旨の投票データを受信した際に、当該番組の得票数を増加する投票受信ステップと、
前記得票数に基づいて、放送される番組における番組素材の影響度合いを変更する表示領域変更ステップと、
を備えたことを特徴とする放送方法。
【請求項１４】
複数のユーザを対象とした番組の映像を放送するとともに、放送した番組を視聴したユーザが利用するユーザ側装置とネットワークを介して通信可能に接続される放送側装置を用いる放送方法であって、
前記ユーザ側装置から所定の番組の番組素材に対して投票する旨の投票データを受信した際に、当該番組の得票数を増加する投票受信ステップと、
前記得票数に基づいて、放送される映像に占める前記番組素材の表示領域の大きさを変更する表示領域変更ステップと、
を備えたことを特徴とする放送方法。
【請求項１５】
複数のユーザを対象とした複数の番組素材を合成した番組として放送するとともに、放送した番組を視聴したユーザが利用するユーザ側装置とネットワークを介して通信可能に接続される放送側装置を用いる放送方法であって、
前記ユーザ側装置から所定の番組素材に対して投票する旨の投票データを受信した際に、当該番組素材の得票数を増加する投票受信ステップと、
前記各番組素材の得票数に基づいて、放送される映像に占める各番組素材の表示領域の大きさを変更する表示領域変更ステップとを備えた
ことを特徴とする放送方法。
【請求項１６】
前記番組素材の映像面積を拡大又は縮小することによって前記表示領域の大きさを変更することを特徴とした請求項１４又は１５記載の放送方法。
【請求項１７】
前記番組素材の映像を前記放送映像内に表示される表示領域と前記放送映像内には表示されない非表示領域とに区画し、前記表示領域と前記非表示領域との割合を可変して前記表示領域の大きさを変更することを特徴とした請求項１４又は１５記載の放送方法。
【請求項１８】
複数のユーザを対象とした複数の番組素材を合成した番組として放送するとともに、放送された番組を視聴したユーザが利用するユーザ側装置とネットワークを介して通信可能に接続される放送側装置を用いる放送方法であって、
前記ユーザ側装置から所定の番組素材に対して投票する旨の投票データを受信した際に、当該番組素材の得票数を増加する投票受信ステップと、
前記各番組素材の得票数に基づいて、各番組素材の音声の大きさを変更する音声変更ステップとを備えた
ことを特徴とする放送方法。
【請求項１９】
複数のユーザを対象とした番組の映像を放送するとともに、放送した番組を視聴したユーザが利用するユーザ側装置とネットワークを介して通信可能に接続される放送側装置のコンピュータに実行させる放送プログラムであって、
前記ユーザ側装置から所定の番組の番組素材に対して投票する旨の投票データを受信した際に、当該番組の得票数を増加する投票受信手順と、
前記得票数に基づいて、放送される番組における番組素材の影響度合いを変更する表示領域変更手順と、
を備えたことを特徴とする放送プログラム。
【請求項２０】
複数のユーザを対象とした番組の映像を放送するとともに、放送した番組を視聴したユーザが利用するユーザ側装置とネットワークを介して通信可能に接続される放送側装置のコンピュータに実行させる放送プログラムであって、
前記ユーザ側装置から所定の番組の番組素材に対して投票する旨の投票データを受信した際に、当該番組の得票数を増加する投票受信手順と、
前記得票数に基づいて、放送される映像に占める前記番組素材の表示領域の大きさを変更する表示領域変更手順と、
を備えたことを特徴とする放送プログラム。
【請求項２１】
複数のユーザを対象とした複数の番組素材を合成した番組として放送するとともに、放送した番組を視聴したユーザが利用するユーザ側装置とネットワークを介して通信可能に接続される放送側装置のコンピュータに実行させる放送プログラムであって、
前記ユーザ側装置から所定の番組素材に対して投票する旨の投票データを受信した際に、当該番組素材の得票数を増加する投票受信手順と、
前記各番組素材の得票数に基づいて、放送される映像に占める各番組素材の表示領域の大きさを変更する表示領域変更手順とを備えた
ことを特徴とする放送プログラム。
【請求項２２】
複数のユーザを対象とした複数の番組素材を合成した番組として放送するとともに、放送された番組を視聴したユーザが利用するユーザ側装置とネットワークを介して通信可能に接続される放送側装置のコンピュータに実行させる放送プログラムであって、
前記ユーザ側装置から所定の番組素材に対して投票する旨の投票データを受信した際に、当該番組素材の得票数を増加する投票受信手順と、
前記各番組素材の得票数に基づいて、各番組素材の音声の大きさを変更する音声変更手順とを備えた
ことを特徴とする放送プログラム。
【請求項２３】
複数のユーザを対象とした番組の映像を放送するとともに、放送した番組を視聴したユーザが利用するユーザ側装置とネットワークを介して通信可能に接続される放送側装置を制御する為のプログラムが記憶された記録媒体であって、
前記ユーザ側装置から所定の番組の番組素材に対して投票する旨の投票データを受信した際に、当該番組の得票数を増加する投票受信手順と、
前記得票数に基づいて、放送される番組における番組素材の影響度合いを変更する表示領域変更手順と、
を備えたことを特徴とする記録媒体。
【請求項２４】
複数のユーザを対象とした番組の映像を放送するとともに、放送した番組を視聴したユーザが利用するユーザ側装置とネットワークを介して通信可能に接続される放送側装置を制御する為のプログラムが記憶された記録媒体であって、
前記ユーザ側装置から所定の番組の番組素材に対して投票する旨の投票データを受信した際に、当該番組の得票数を増加する投票受信手順と、
前記得票数に基づいて、放送される映像に占める前記番組素材の表示領域の大きさを変更する表示領域変更手順と、
を備えたことを特徴とする記録媒体。
【請求項２５】
複数のユーザを対象とした複数の番組素材を合成した番組として放送するとともに、放送した番組を視聴したユーザが利用するユーザ側装置とネットワークを介して通信可能に接続される放送側装置を制御する為のプログラムが記憶された記録媒体であって、
前記ユーザ側装置から所定の番組素材に対して投票する旨の投票データを受信した際に、当該番組素材の得票数を増加する投票受信手順と、
前記各番組素材の得票数に基づいて、放送される映像に占める各番組素材の表示領域の大きさを変更する表示領域変更手順とを備えた
ことを特徴とする記録媒体。
【請求項２６】
複数のユーザを対象とした複数の番組素材を合成した番組として放送するとともに、放送された番組を視聴したユーザが利用するユーザ側装置とネットワークを介して通信可能に接続される放送側装置を制御する為のプログラムが記憶された記録媒体であって、
前記ユーザ側装置から所定の番組素材に対して投票する旨の投票データを受信した際に、当該番組素材の得票数を増加する投票受信手順と、
前記各番組素材の得票数に基づいて、各番組素材の音声の大きさを変更する音声変更手順とを備えた
ことを特徴とする記録媒体。
【発明の詳細な説明】
【技術分野】
【０００１】
本発明は、例えば放送される映像や音声を加工する放送システムに関する。
【背景技術】
【０００２】
従来、テレビ放送において投票内容を表示するものとしては、選挙の投票数を表示する番組や、競技のオッズを表示する番組が知られている。
【０００３】
また、投票に対するオッズを表示するシステムとしては、投票数に応じた式別毎のオッズの表示時間を可変制御するシステムや（例えば、特許文献１参照。）、所望のオッズ情報を迅速に得ることができるシステムが知られている（例えば、特許文献２参照。）。
【特許文献１】特開２００３−２３３６９１号公報
【特許文献２】特開２００３−３１６９１７号公報
【発明の開示】
【発明が解決しようとする課題】
【０００４】
しかしながら、これらのシステムにあっては、情報が一方的に送られるシステムであったり、配信情報が一個人のみに適した情報となり、多数のユーザの興味を引く放送サービスを提供することが要請されている。
【０００５】
本発明は、このような従来の課題に鑑みてなされたものであり、多数のユーザに趣向性の高いサービスを提供することができる放送システムを提供することを目的とするものである。
【課題を解決するための手段】
【０００６】
前記課題を解決するために本発明の放送システムにおいては、複数のユーザを対象とした番組の映像を放送する放送側装置と、該放送側装置で放送された番組を視聴したユーザが利用するユーザ側装置とがネットワークを介して通信可能に接続されてなる放送システムであって、前記ユーザ側装置は、前記番組の番組素材に対して投票する旨の投票データを前記放送側装置へ送信する投票送信手段を備え、前記放送側装置は、前記ユーザ側装置から所定の番組の番組素材に対して投票する旨の投票データを受信した際に、当該番組の得票数を増加する投票受信手段と、前記得票数に基づいて、放送される番組における番組素材の影響度合いを変更する変更手段とを備えている。
【０００７】
すなわち、放送側装置で放送された番組に対して投票を行う場合、この番組を視聴したユーザは、ユーザ側装置を利用して前記番組の番組素材に対して投票する旨の投票データを放送側装置へ送信する。
【０００８】
これを受信した放送側装置では、所定の番組の番組素材に対して投票する旨の投票データを受信した際に、当該番組の得票数を増加する。すると、この得票数に基づいて、放送される番組における番組素材の影響度合いが変更される。
【０００９】
これにより、ユーザによる投票結果が放送される番組素材に反映される。
【００１０】
ここで、番組素材の影響度合いを変更する変更手段としては、後述するように、放送される映像に占める番組素材の表示領域の大きさを変更する表示領域変更手段や、各番組素材の音声の大きさを変更する音声変更手段が挙げられる。
【００１１】
また、複数のユーザを対象とした番組の映像を放送する放送側装置と、該放送側装置で放送された番組を視聴したユーザが利用するユーザ側装置とがネットワークを介して通信可能に接続されてなる放送システムであって、前記ユーザ側装置は、前記番組の番組素材に対して投票する旨の投票データを前記放送側装置へ送信する投票送信手段を備え、前記放送側装置は、前記ユーザ側装置から所定の番組の番組素材に対して投票する旨の投票データを受信した際に、当該番組の得票数を増加する投票受信手段と、前記得票数に基づいて、放送される映像に占める番組素材の表示領域の大きさを変更する表示領域変更手段とを備えている。
【００１２】
すなわち、放送側装置で放送された番組に対して投票を行う場合、この番組を視聴したユーザは、ユーザ側装置を利用して前記番組の番組素材に対して投票する旨の投票データを放送側装置へ送信する。
【００１３】
これを受信した放送側装置では、所定の番組の番組素材に対して投票する旨の投票データを受信した際に、当該番組の得票数を増加する。すると、この得票数に基づいて、放送される映像に占める番組素材の表示領域の大きさが変更される。
【００１４】
これにより、ユーザによる投票結果が放送される映像に反映される。
【００１５】
さらに、複数のユーザを対象とした複数の番組素材を合成した番組として放送する放送側装置と、該放送側装置で放送された番組を視聴したユーザが利用するユーザ側装置とがネットワークを介して通信可能に接続されてなる放送システムであって、前記ユーザ側装置は、前記各番組素材から選択した番組素材に対して投票する旨の投票データを前記放送側装置へ送信する投票送信手段を備え、前記放送側装置は、前記ユーザ側装置から所定の番組素材に対して投票する旨の投票データを受信した際に、当該番組素材の得票数を増加する投票受信手段と、前記各番組素材の得票数に基づいて、放送される映像に占める各番組素材の表示領域の大きさを変更する表示領域変更手段とを備えている。
【００１６】
すなわち、放送側装置からは複数の番組素材が合成されて放送されており、この放送の各番組より選択した番組素材に対して投票を行う場合、この放送を視聴したユーザは、ユーザ側装置を利用して選択した番組素材に対して投票する旨の投票データを放送側装置へ送信する。
【００１７】
これを受信した放送側装置では、所定の番組素材に対して投票する旨の投票データを受信した際に、当該番組素材の得票数を増加する。すると、この得票数に基づいて、放送される映像に占める各番組素材の表示領域の大きさが変更される。
【００１８】
これにより、ユーザによる投票結果が放送される映像に反映される。
【００１９】
加えて、前記放送側装置は、前記番組素材の映像面積を拡大又は縮小することによって前記表示領域の大きさを変更する。
【００２０】
すなわち、番組の表示領域の大きさの変更は、前記番組素材の映像面積が拡大又は縮小されることによって行われる。
【００２１】
また、前記放送側装置は、前記番組素材の映像を前記放送映像内に表示される表示領域と前記放送映像内には表示されない非表示領域とに区画し、前記表示領域と前記非表示領域との割合を可変して前記表示領域の大きさを変更する。
【００２２】
すなわち、放送映像内に表示される表示領域の割合が大きくなると、当該番組素材の表示領域が拡大される一方、放送映像内に表示される表示領域の割合が小さくなると、当該番組素材の表示領域が縮小され、放送映像内に表示されない部分が増大する。
【００２３】
そして、複数のユーザを対象とした複数の番組素材を合成した番組として放送する放送側装置と、該放送側装置で放送された番組を視聴したユーザが利用するユーザ側装置とがネットワークを介して通信可能に接続されてなる放送システムであって、前記ユーザ側装置は、前記各番組素材から選択した番組素材に対して投票する旨の投票データを前記放送側装置へ送信する投票送信手段を備え、前記放送側装置は、前記ユーザ側装置から所定の番組素材に対して投票する旨の投票データを受信した際に、当該番組素材の得票数を増加する投票受信手段と、前記各番組素材の得票数に基づいて、各番組素材の音声の大きさを変更する音声変更手段とを備えている。
【００２４】
すなわち、放送側装置からは複数の番組素材が合成されて放送されており、この放送の各番組素材より選択した番組素材に対して投票を行う場合、この放送を視聴したユーザは、ユーザ側装置を利用して選択した番組素材に対して投票する旨の投票データを放送側装置へ送信する。
【００２５】
これを受信した放送側装置では、所定の番組素材に対して投票する旨の投票データを受信した際に、当該番組素材の得票数を増加する。すると、この得票数に基づいて、各番組素材の音声の大きさが変更される。
【００２６】
これにより、ユーザによる投票結果が放送される音声に反映される。
【００２７】
また、放送装置においては、複数のユーザを対象とした番組の映像を放送するとともに、放送した番組を視聴したユーザが利用するユーザ側装置とネットワークを介して通信可能に接続される放送側装置であって、前記ユーザ側装置から所定の番組の番組素材に対して投票する旨の投票データを受信した際に、当該番組の得票数を増加する投票受信手段と、前記得票数に基づいて、放送される番組における番組素材の影響度合い変更する変更手段と、を備えている。
【００２８】
さらに、複数のユーザを対象とした番組の映像を放送するとともに、放送した番組を視聴したユーザが利用するユーザ側装置とネットワークを介して通信可能に接続される放送側装置であって、前記ユーザ側装置から所定の番組の番組素材に対して投票する旨の投票データを受信した際に、当該番組の得票数を増加する投票受信手段と、前記得票数に基づいて、放送される映像に占める番組素材の表示領域の大きさを変更する表示領域変更手段と、を備えている。
【００２９】
加えて、複数のユーザを対象とした複数の番組素材を合成した番組として放送するとともに、放送した番組を視聴したユーザが利用するユーザ側装置とネットワークを介して通信可能に接続される放送側装置であって、前記ユーザ側装置から所定の番組素材に対して投票する旨の投票データを受信した際に、当該番組素材の得票数を増加する投票受信手段と、前記各番組素材の得票数に基づいて、放送される映像に占める各番組素材の表示領域の大きさを変更する表示領域変更手段とを備えている。
【００３０】
また、前記番組素材の映像面積を拡大又は縮小することによって前記表示領域の大きさを変更する。
【００３１】
さらに、前記番組素材の映像を前記放送映像内に表示される表示領域と前記放送映像内には表示されない非表示領域とに区画し、前記表示領域と前記非表示領域との割合を可変して前記表示領域の大きさを変更する。
【００３２】
そして、複数のユーザを対象とした複数の番組素材を合成した番組として放送するとともに、放送された番組を視聴したユーザが利用するユーザ側装置とネットワークを介して通信可能に接続される放送側装置であって、前記ユーザ側装置から所定の番組素材に対して投票する旨の投票データを受信した際に、当該番組素材の得票数を増加する投票受信手段と、前記各番組素材の得票数に基づいて、各番組素材の音声の大きさを変更する音声変更手段とを備えている。
【００３３】
これにより、この放送側装置に、前記ユーザ側装置を接続して所定の操作を行うことによって、前述と同様の作用効果を得ることが可能となる。
【００３４】
また、放送方法においては、複数のユーザを対象とした番組の映像を放送するとともに、放送した番組を視聴したユーザが利用するユーザ側装置とネットワークを介して通信可能に接続される放送側装置を用いる放送方法であって、前記ユーザ側装置から所定の番組の番組素材に対して投票する旨の投票データを受信した際に、当該番組の得票数を増加する投票受信ステップと、前記得票数に基づいて、放送される番組における番組素材の影響度合いを変更する表示領域変更ステップと、を備えている。
【００３５】
さらに、複数のユーザを対象とした番組の映像を放送するとともに、放送した番組を視聴したユーザが利用するユーザ側装置とネットワークを介して通信可能に接続される放送側装置を用いる放送方法であって、前記ユーザ側装置から所定の番組の番組素材に対して投票する旨の投票データを受信した際に、当該番組の得票数を増加する投票受信ステップと、前記得票数に基づいて、放送される映像に占める前記番組素材の表示領域の大きさを変更する表示領域変更ステップと、を備えている。
【００３６】
加えて、複数のユーザを対象とした複数の番組素材を合成した番組として放送するとともに、放送した番組を視聴したユーザが利用するユーザ側装置とネットワークを介して通信可能に接続される放送側装置を用いる放送方法であって、前記ユーザ側装置から所定の番組素材に対して投票する旨の投票データを受信した際に、当該番組素材の得票数を増加する投票受信ステップと、前記各番組素材の得票数に基づいて、放送される映像に占める各番組素材の表示領域の大きさを変更する表示領域変更ステップとを備えている。
【００３７】
また、前記番組素材の映像面積を拡大又は縮小することによって前記表示領域の大きさを変更する。
【００３８】
さらに、前記番組素材の映像を前記放送映像内に表示される表示領域と前記放送映像内には表示されない非表示領域とに区画し、前記表示領域と前記非表示領域との割合を可変して前記表示領域の大きさを変更する。
【００３９】
そして、複数のユーザを対象とした複数の番組素材を合成した番組として放送するとともに、放送された番組を視聴したユーザが利用するユーザ側装置とネットワークを介して通信可能に接続される放送側装置を用いる放送方法であって、前記ユーザ側装置から所定の番組素材に対して投票する旨の投票データを受信した際に、当該番組素材の得票数を増加する投票受信ステップと、前記各番組素材の得票数に基づいて、各番組素材の音声の大きさを変更する音声変更ステップとを備えている。
【００４０】
したがって、これらの処理を放送側装置に実行させることにより、前述と同様の作用効果を得ることが可能となる。よって、記載される処理をコンピュータなどのハードウエアを用いて実行することにより、これらのハードウエアで本発明の放送技術を容易に実施することができる。
【００４１】
また、複数のユーザを対象とした番組の映像を放送するとともに、放送した番組を視聴したユーザが利用するユーザ側装置とネットワークを介して通信可能に接続される放送側装置のコンピュータに実行させる放送プログラムであって、前記ユーザ側装置から所定の番組の番組素材に対して投票する旨の投票データを受信した際に、当該番組の得票数を増加する投票受信手順と、前記得票数に基づいて、放送される番組における番組素材の影響度合いを変更する表示領域変更手順と、を備えている。
【００４２】
さらに、複数のユーザを対象とした番組の映像を放送するとともに、放送した番組を視聴したユーザが利用するユーザ側装置とネットワークを介して通信可能に接続される放送側装置のコンピュータに実行させる放送プログラムであって、前記ユーザ側装置から所定の番組の番組素材に対して投票する旨の投票データを受信した際に、当該番組の得票数を増加する投票受信手順と、前記得票数に基づいて、放送される映像に占める前記番組素材の表示領域の大きさを変更する表示領域変更手順と、を備えている。
【００４３】
加えて、複数のユーザを対象とした複数の番組素材を合成した番組として放送するとともに、放送した番組を視聴したユーザが利用するユーザ側装置とネットワークを介して通信可能に接続される放送側装置のコンピュータに実行させる放送プログラムであって、前記ユーザ側装置から所定の番組素材に対して投票する旨の投票データを受信した際に、当該番組素材の得票数を増加する投票受信手順と、前記各番組素材の得票数に基づいて、放送される映像に占める各番組素材の表示領域の大きさを変更する表示領域変更手順とを備えている。
【００４４】
そして、複数のユーザを対象とした複数の番組素材を合成した番組として放送するとともに、放送された番組を視聴したユーザが利用するユーザ側装置とネットワークを介して通信可能に接続される放送側装置のコンピュータに実行させる放送プログラムであって、前記ユーザ側装置から所定の番組素材に対して投票する旨の投票データを受信した際に、当該番組素材の得票数を増加する投票受信手順と、前記各番組素材の得票数に基づいて、各番組素材の音声の大きさを変更する音声変更手順とを備えている。
【００４５】
したがって、放送側装置のコンピュータがこのプログラムに従って処理を実行することにより、前述と同様の作用効果を奏する。
【００４６】
また、複数のユーザを対象とした番組の映像を放送するとともに、放送した番組を視聴したユーザが利用するユーザ側装置とネットワークを介して通信可能に接続される放送側装置を制御する為のプログラムが記憶された記録媒体であって、前記ユーザ側装置から所定の番組の番組素材に対して投票する旨の投票データを受信した際に、当該番組の得票数を増加する投票受信手順と、前記得票数に基づいて、放送される番組における番組素材の影響度合いを変更する表示領域変更手順と、を備えている。
【００４７】
さらに、複数のユーザを対象とした番組の映像を放送するとともに、放送した番組を視聴したユーザが利用するユーザ側装置とネットワークを介して通信可能に接続される放送側装置を制御する為のプログラムが記憶された記録媒体であって、前記ユーザ側装置から所定の番組の番組素材に対して投票する旨の投票データを受信した際に、当該番組の得票数を増加する投票受信手順と、前記得票数に基づいて、放送される映像に占める前記番組素材の表示領域の大きさを変更する表示領域変更手順と、を備えている。
【００４８】
加えて、複数のユーザを対象とした複数の番組素材を合成した番組として放送するとともに、放送した番組を視聴したユーザが利用するユーザ側装置とネットワークを介して通信可能に接続される放送側装置を制御する為のプログラムが記憶された記録媒体であって、前記ユーザ側装置から所定の番組素材に対して投票する旨の投票データを受信した際に、当該番組素材の得票数を増加する投票受信手順と、前記各番組素材の得票数に基づいて、放送される映像に占める各番組素材の表示領域の大きさを変更する表示領域変更手順とを備えている。
【００４９】
そして、複数のユーザを対象とした複数の番組素材を合成した番組として放送するとともに、放送された番組を視聴したユーザが利用するユーザ側装置とネットワークを介して通信可能に接続される放送側装置を制御する為のプログラムが記憶された記録媒体であって、前記ユーザ側装置から所定の番組素材に対して投票する旨の投票データを受信した際に、当該番組素材の得票数を増加する投票受信手順と、前記各番組素材の得票数に基づいて、各番組素材の音声の大きさを変更する音声変更手順とを備えている。
【００５０】
したがって、放送側装置のコンピュータにこの記憶媒体を読み込ませ、記載した手順に従った処理を実行させることにより、前述と同様の作用効果を奏する。
【発明の効果】
【００５１】
以上説明したように本発明にあっては、ユーザによる投票結果を、複数のユーザを対象として放送される番組素材の映像や音声に反映することができる。
【００５２】
したがって、情報が一方的に送られる従来型のシステムや、一個人に適した情報が配信されるシステムと比較して、多数参加型のシステムであって多数のユーザの興味を引く放送サービスを提供することができる。
【００５３】
また、放送側装置から複数の番組素材が合成されて放送され、この放送の各番組素材から選択した番組素材に対して投票を行う場合には、このユーザによる投票結果を、複数のユーザを対象として放送される映像において、放送される番組における番組素材の表示領域の大きさとして反映することができる。
【００５４】
したがって、情報が一方的に送られる従来型のシステムや、一個人に適した情報が配信されるシステムと比較して、多数参加型のシステムであって多数のユーザの興味を引く放送サービスを提供することができる。
【００５５】
そして、当該放送映像において、自分が投票した番組素材と他の番組素材とを対戦させる楽しみを得ることができるとともに、その対戦結果を、各番組素材の表示領域の大きさとしてリアルタイムに得ることができる。
【００５６】
また、番組素材の表示領域の大きさの変更としては、前記番組素材の映像面積を拡大又は縮小する方法が挙げられ、映像面積の大きさによって、当該番組素材の人気度を実感することができる。
【００５７】
さらに、放送映像内に表示される表示領域の割合を変更して番組素材の表示領域の大きさの変更する場合、例えば得票数が少ないと、放送映像内に表示される表示領域の割合が小さくなり、当該番組素材の表示領域が縮小される。これに伴って、放送映像内に表示されない部分が増大するため、当該番組素材を視聴したユーザへ向けて投票を促す効果が得られる。
【００５８】
これにより、放送の状態に応じたユーザ参加型のシステムを形成することができ、興趣性の向上を図ることができる。
【００５９】
また、放送側装置から複数の番組素材が合成されて放送され、この放送の各番組素材から選択した番組素材に対して投票を行うと、このユーザによる投票結果を、複数のユーザを対象とした放送において、各番組素材の音声の大きさとして反映することができる。
【００６０】
したがって、情報が一方的に送られる従来型のシステムや、一個人に適した情報が配信されるシステムと比較して、多数参加型のシステムであって多数のユーザの興味を引く放送サービスを提供することができる。
【００６１】
そして、当該放送映像において、自分が投票した番組素材と他の番組とを対戦させる楽しみを得ることができるとともに、その対戦結果を、各番組素材の音声の大きさとしてリアルタイムに得ることができる。
【発明を実施するための最良の形態】
【００６２】
以下、本発明の一実施の形態を図面にしたがって説明する。図１は、本発明の一実施の形態にかかる放送システム１を示すブロック図であり、該放送システム１は、テレビ放送の予め設定された時間帯において、ユーザからの投票に応じて放送される映像や音声を加工するシステムである。
【００６３】
この放送システム１は、ネットワークの一例であるインターネット１１を利用して構築されており、該インターネット１１には、放送局等により用意されている放送側装置１２が接続されている。インターネット１１には、携帯電話各社が構成する移動体通信網１３が接続されており、該移動体通信網１３には、多数の基地局１４が設けられている。これにより、放送側装置１２には、インターネット１１及び移動体通信網１３の基地局１４を介して、ユーザ側装置である携帯電話１５が接続できるように構成されている。なお、このユーザ側装置としては、インターネット１１接続可能なノートブック型のパソコンやデスクトップ型のパソコンで構成しても良い。
【００６４】
放送側装置１２は、図２に示すように、映像音声処理装置２１を中心に構成されている。該映像音声処理装置２１には、複数の番組素材を入力する第１カメラ２２及び第１マイク２３からの信号と、第２カメラ２４及び第２マイク２５からの信号とが入力されるように構成されており、両入力信号を編集して送信機２６へ出力するように構成されている。
【００６５】
この送信機２６は、映像音声処理装置２１からの信号を電波に乗せて送信する装置であり、この電波を受信した図１に示す受信機３１では、送信された映像をモニタ３２に表示するとともに、送信された多重音声を左スピーカ３３と右スピーカ３４に分離して出力するように構成されている。ここで、受信機３１は、テレビ（ＴＶ受像機）である。
【００６６】
また、映像音声処理装置２１には、図２に示したように、メールサーバ５１が接続されており、該メールサーバ５１は、インターネット１１に常時接続されている。このメールサーバ５１には、データベース５２が接続されており、該データベース５２には、プログラムを記憶する為のプログラム記憶領域と、データを記憶する為のデータ記憶領域が設けられている。これにより、メールサーバ５１は、プログラム領域に記憶されたＷｅｂサーバープログラムに従って作動することで、携帯電話１５からのメールを受信してデータベース５２に記憶するとともに、各メールアドレス宛に届けられたメールの数を映像音声処理装置へ出力できるように構成されている。
【００６７】
そして、この放送側装置１２には、ＣＤ−ＲＯＭ等の記録媒体に記憶された放送プログラムを読み込んでハードディスクなどの記憶エリアに記憶する図外の読み取り装置が設けられており、記憶エリアに記憶された放送プログラムに従ってコンピュータを作動することにより、映像音声処理装置２１での編集を制御できるように構成されている。
【００６８】
以上の構成にかかる本実施の形態の動作を、図３に示すフローチャートに従って説明する。
【００６９】
すなわち、放送側装置１２は、現在放送中であるか否かを判断し（Ｓ１）、放送中でない場合には、当該処理を終了する。放送中の場合には、第１の番組素材を撮影する第１カメラ２２からの映像と第１マイク２３からの音声とを映像音声処理装置２１に入力するとともに、第２の番組素材を撮影する第２カメラ２４からの映像と第２マイク２５からの音声とを映像音声処理装置２１に入力し（Ｓ２）、現在、映像と音声を可変する番組の時間帯か否かを判断する（Ｓ３）。
【００７０】
番組の時間帯の場合、放送側装置１２から第１カメラ２２及び第１マイク２３で撮影された第１の番組素材と、第２カメラ２４と第２マイク２５で撮影された第２の番組素材とが合成され、一つのチャンネルにおいて放送される番組として放送されており、この放送を受信した受信機３１のモニタ３２には、図４の左方に示すように、芸人Ａが出演する第１の番組素材の映像６１と、芸人Ｂが出演した第２の番組素材の映像６２とが表示されている。また、第１の番組素材の音声は、左スピーカー３３から出力されており、第２の番組素材の音声は、右スピーカー３４から出力されている。
【００７１】
この番組開始直後の初期映像画面６３においては、全体の放送映像に占める第１の番組素材の映像６１と第２の番組素材の映像６２との表示領域が同じとなるように同面積に設定されている。また、左スピーカー３３から出力される第１の番組素材の音声と、右スピーカー３４から出力される第２の番組素材の音声とは、同音量となるように設定されており、左右スピーカー３３，３４からは同レベルの音声が出力されている。
【００７２】
そして、第１の番組素材の映像６１の上部には、第１メールアドレス６５が表示されており、第２の番組素材の映像６２の上部には、第２メールアドレス６６が表示されている。第１メールアドレス６５は、第１の番組素材を投票する際のメールの送信先を示し、第２メールアドレス６６は、第２の番組素材を投票する際のメールの送信先を示しており、両メールアドレス６５，６６は、放送側装置１２内のメールサーバ５１内に設定されている。これにより、この放送を視聴したユーザは、いずれかのメールアドレス６５，６６にメールを送信することによって、両番組素材より選択した番組に対して投票を行うことができる。
【００７３】
つまり、図５に示すように、芸人Ａの番組素材が面白く第１の番組素材に対して投票する場合には、ユーザ側装置である携帯電話１５のメール機能を利用して、第１メールアドレス６５へ第１の番組素材に対して投票する旨を示す投票データであるメールを送信する（ＳＡ１）。また、芸人Ｂの番組素材が面白く第２の番組素材に対して投票する場合には、ユーザ側装置である携帯電話１５のメール機能を利用して、第２メールアドレス６６へ第２の番組素材に対して投票する旨を示す投票データであるメールを送信する（ＳＢ１）。すると、メールサーバ５１では、これらのメールを受信して、データベース５２に設けられた第１メールアドレス６５と第２メールアドレス６６に振り分けて保存するとともに、各メールアドレス６５，６６宛のメール数をカウントして得票数７１，７２とする（ＳＣ１）。
【００７４】
図３に戻り、放送側装置１２では、ステップＳ３において番組の時間帯でないと判断した際には、ステップＳ７へ移行する一方、番組の時間帯であると判断した際には、各番組素材に対応して設定されたメールアドレス６５，６６宛のメールの数、すなわち得票数７１，７２をメールサーバ５２より取得し（Ｓ４）、各番組での得票数７１，７２に基づいて、放送される映像に占める各番組素材の表示領域の大きさを決定する（Ｓ５）。
【００７５】
その手法の一つとしては、放送される映像に占める第１及び第２の番組素材の映像６１，６２面積を拡大又は縮小する方法が挙げられ、この手法は、一般的な技術で実現することができる。
【００７６】
例えば、第１メールアドレス６５の件数が１０００件であり、第２メールアドレス６６への件数が１５０件の場合、第１の番組素材の映像６１面積と第２の番組素材の映像６２面積の比が１０００：１５０となるように各映像面積を決定する。
【００７７】
このとき、各番組素材での得票数７１，７２に基づいて、各番組素材の音声の大きさも決定する（Ｓ６）。
【００７８】
例えば、第１メールアドレス６５の件数が１０００件で、第２メールアドレス６６への件数が１５０件の現在では、第１の番組素材の音声と第２の番組素材の音声の比が１０００：１５０となるように音量を決定する。
【００７９】
そして、前述した１０００：１５０の映像面積比によって、第１の番組素材の映像６１と第２の番組素材の映像６２とを合成して映像データを作成する（Ｓ７）。同様に、前述した１０００：１５０の音量比によって、第１の番組素材の音声と第２の番組素材の音声とを合成して音声データを作成する（Ｓ８）。そして、映像データと音声データとからなる放送用データを作成して、この放送用データを送信機２６へ出力して放送する（Ｓ９）。
【００８０】
すると、この放送を受信した受信機３１のモニタ３２には、図４の右方に示したように、得票数７１の多い第１の番組素材の映像６１が、得票数７２の少ない第２の番組素材の映像６２より大きく表示される。このとき、受信機３１の左右スピーカー３３，３４からは、得票数７１の多い第１の番組素材の音声が、得票数７２の少ない第２の番組素材の音声より大きな音量で出力される。例えば、生放送において、それぞれの番組素材にて出演者が歌っている際に、投票によって表示される領域が小さくなって行く出演者が焦っている様子を窺うことができる。
【００８１】
このように、ユーザによる各番組素材への投票結果を、複数のユーザを対象として放送される放送映像及び放送音声に反映することができる。
【００８２】
したがって、情報が一方的に送られる従来型のシステムや、一個人に適した情報が配信されるシステムと比較して、多数参加型のシステムであって多数のユーザの興味を引く放送サービスを提供することができる。
【００８３】
また、放送側装置１２から第１及び第２の番組素材を合成して放送し、この放送の両番組素材から選択した番組素材に対して投票を行うことにより、ユーザによる投票結果を、複数のユーザを対象として放送される映像において、放送される映像に占める両番組素材の表示領域の大きさとして反映することができる。
【００８４】
このととき、当該放送映像において、自分が投票した番組素材と他の番組素材とを対戦させる楽しみを得ることができるとともに、その対戦結果を、各番組素材の表示領域の大きさとしてリアルタイムに得ることができる。さらに、表示される映像面積の大きさによって、当該番組素材の人気度を実感することができる。
【００８５】
なお、各番組素材での得票数７１，７２に基づいて、放送映像に占める各番組素材の表示領域の大きさを決定する他の手法としては、図６に示すように、各番組素材の映像６１，６２のそれぞれのサイズを加工することなく、放送映像での表示される幅を投票数に応じて決定し、その幅に基づいて２つの番組素材から放送映像を切り出す方法が挙げられる。これにより、放送映像でのそれぞれの番組素材の境界が左右に動いて見えることとなる。この手法は、一般的な技術で実現することができる。
【００８６】
この場合、放送映像８１内に表示される表示領域の割合が大きくなると、当該番組素材の表示領域が拡大される一方、放送映像内に表示される表示領域の割合が小さくなると、当該番組素材の表示領域が縮小され、放送映像内に表示されない部分が増大することとなる。
【００８７】
このため、得票数７２の少ない第２の番組素材の映像６２では、放送映像８１内に表示される表示領域６２ａの割合が小さくなり、当該番組素材の表示領域６２ａが縮小される。これに伴って、放送映像８１内に表示されない部分が増大するため、当該番組素材を応援するユーザへ向けて投票を促す効果が得られる。
【００８８】
一方、得票数７１の多い第１の番組素材の映像６１では、放送映像８１内に表示される表示領域６１ａの割合が大きくなり、当該番組素材の表示領域６１ａが拡大される。これにより、放送映像８１内に表示されない部分を表示させようとして、当該番組素材を応援するユーザへ向けて投票を促す効果が得られる。
【００８９】
これにより、放送の状態に応じたユーザ参加型のシステムを形成することができ、興趣性の向上を図ることができる。
【００９０】
なお、本実施の形態にあっては、第１及び第２の番組素材を合成して放送する場合を例に挙げて説明したが、これに限定されるものでは無く、一放送映像内に一つの番組素材を表示する場合であっても、投票数が少ない場合には表示面積を除々に小さくする、あるいは投票数が多い場合には表示面積を除々に大きくすることで、ユーザによる投票結果を放送される映像に反映することができる。
【００９１】
また、本実施の形態にあっては、投票数に応じて映像６１，６２及び音声を変更する場合を例に挙げて説明したが、映像のみ又は音声のみを変更しても良い。
【００９２】
さらに、本実施の形態にあっては、生放送、すなわち、リアルタイムに映像を撮影して放送する例を示したが、少なくとも一つの番組素材として、既に撮影された映像を用いるようにしても良い。
【００９３】
また、本実施の形態にあっては、二つの番組素材を合成するようにしたが、三つ以上の番組素材を合成しても良い。
【００９４】
さらに、本実施の形態の記録媒体としては、ＣＤ−ＲＯＭの他に、磁気ディスクや光磁気ディスクやメモリカード等が挙げられる。
【図面の簡単な説明】
【００９５】
【図１】本発明の一実施の形態を示すブロック図である。
【図２】同実施の形態の放送側装置を示すブロック図である。
【図３】同実施の形態の動作を示すフローチャートである。
【図４】同実施の形態の動作を示す説明図である。
【図５】同実施の形態の動作を示すフローチャートである。
【図６】他の実施の形態の動作を示す説明図である。
【符号の説明】
【００９６】
１    投票システム
１１    インターネット
１２    データベース
１３    サーバ
１６    携帯電話
【図１】
2005333279.tif 000003
【図２】
2005333279.tif 000004
【図３】
2005333279.tif 000005
【図４】
2005333279.tif 000006
【図５】
2005333279.tif 000007
【図６】
2005333279.tif 000008